(57)【要約】【課題】人を覚醒させることができる環境制御システムを提供する。【解決手段】環境制御システムは、対象領域において温度と湿度と空気清浄度のうちの少なくとも１つを変化させるように風を発生させる環境調整装置と、前記対象領域の内部にいる使用者の位置を検知する人位置検知装置と、前記人位置検知装置により検知された使用者の位置での風速及び音の少なくとも一方の変化が使用者の覚醒度を変化させる状態となるように、前記環境調整装置が発生させる風量を制御する制御装置と、を備えた。【選択図】図１
2015108469.tif 000002
【特許請求の範囲】
【請求項１】
対象領域において温度と湿度と空気清浄度のうちの少なくとも１つを変化させるように風を発生させる環境調整装置と、
前記対象領域の内部にいる使用者の位置を検知する人位置検知装置と、
前記人位置検知装置により検知された使用者の位置での風速及び音の少なくとも一方の変化が使用者の覚醒度を変化させる状態となるように、前記環境調整装置が発生させる風量を制御する制御装置と、
を備えた環境制御システム。
【請求項２】
前記人位置検知装置により検知された使用者の位置での風速及び音の少なくとも一方の変化の範囲を設定し得るように設けられた入力装置、
を備え、
前記制御装置は、前記入力装置による設定に応じて前記環境調整装置が発生させる風量を制御する請求項１に記載の環境制御システム。
【請求項３】
前記制御装置は、前記環境調整装置と離れて設けられ、風量の設定に関する情報を無線で前記環境調整装置に送信する請求項１又は請求項２に記載の環境制御システム。
【請求項４】
前記環境調整装置と前記人位置検知装置と前記制御装置とのいずれか１つ以上に設けられ、使用者の位置における風速及び音の少なくとも一方を検知する環境検知装置、
を備えた請求項１から請求項３のいずれか一項に記載の環境制御システム。
【請求項５】
前記環境調整装置と前記人位置検知装置と前記制御装置とのいずれか１つ以上に設けられ、使用者の覚醒状態を検知する覚醒検知装置、
を備えた請求項１から請求項４のいずれか一項に記載の環境制御システム。
【請求項６】
前記覚醒検知装置は、使用者の動きを検知し、
前記制御装置は、前記覚醒検知装置に検知された使用者の動きが予め設定された大きさよりも小さい場合に、前記人位置検知装置により検知された使用者の位置での風速及び音の少なくとも一方の変化が予め設定された状態よりも大きくなるように、前記環境調整装置を制御する請求項５に記載の環境制御システム。
【請求項７】
前記制御装置は、前記環境調整装置が発生させる音の周波数を考慮して、前記環境調整装置が発生させる風量を制御する請求項１から請求項６のいずれか一項に記載の環境制御システム。
【発明の詳細な説明】
【技術分野】
【０００１】
この発明は、環境制御システムに関する。
【背景技術】
【０００２】
特許文献１には、環境制御システムが記載されている。当該環境制御システムは、使用者の睡眠状態の検知結果に基づいて、空気調和機等を制御する。当該制御により、使用者は快適な睡眠を得ることができる。
【先行技術文献】
【特許文献】
【０００３】
【特許文献１】特開２０１１-１２２７３２号公報
【特許文献２】特開２００６-１１８７４７号公報
【特許文献３】特許第３６９２５７５号公報
【特許文献４】特開平４−２１２３３１号公報
【特許文献５】特許第２８０６２３２号公報
【特許文献６】特開２００１−１０８２７８号公報
【特許文献７】特開２００３−１８５２１７号公報
【特許文献８】特開２０１３−２４４６６号公報
【発明の概要】
【発明が解決しようとする課題】
【０００４】
しかしながら、特許文献１に記載のものは、使用者が覚醒することを要望した際の動作を想定していない。このため、使用者を覚醒させることができない。
【０００５】
この発明は、上述の課題を解決するためになされた。この発明の目的は、使用者を覚醒させることができる環境制御システムを提供することである。
【課題を解決するための手段】
【０００６】
この発明に係る環境制御システムは、対象領域において温度と湿度と空気清浄度のうちの少なくとも１つを変化させるように風を発生させる環境調整装置と、前記対象領域の内部にいる使用者の位置を検知する人位置検知装置と、前記人位置検知装置により検知された使用者の位置での風速及び音の少なくとも一方の変化が使用者の覚醒度を変化させる状態となるように、前記環境調整装置が発生させる風量を制御する制御装置と、を備えた。
【発明の効果】
【０００７】
この発明によれば、使用者の位置での風速及び音の少なくとも一方の変化が使用者の覚醒度を変化させる状態となるように、環境調整装置が風を発生させる。このため、使用者を覚醒させることができる。
【図面の簡単な説明】
【０００８】
【図１】この発明の実施の形態１における環境制御システムを適用した部屋の構成図である。
【図２】この発明の実施の形態１における環境制御システムを適用した部屋の構成図である。
【図３】この発明の実施の形態２における環境制御システムの入力装置の画面を示す図である。
【図４】この発明の実施の形態２における環境制御システムの設定を説明するための図である。
【図５】この発明の実施の形態３における環境制御システムを適用した部屋の構成図である。
【図６】この発明の実施の形態４における環境制御システムを適用した部屋の構成図である。
【図７】この発明の実施の形態４における環境制御システムの動作を説明するためのタイミングチャートである。
【図８】この発明の実施の形態５における環境制御システムの設定を説明するための図である。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における環境制御システムを適用した部屋の構成図である。
【００１１】
図１において、部屋１は、環境制御システムによる環境制御の対象領域である。部屋１の内部には、ベッド２が設けられる。ベッド２は、部屋１の一側の下部に設けられる。部屋１の内部には、机３が設けられる。机３は、部屋１の中央の下部に設けられる。部屋１の内部には、椅子４が設けられる。椅子４は、ベッド２と机３との間に設けられる。
【００１２】
部屋１の内部には、空調装置５が設けられる。空調装置５は、部屋１の一側の上部に設けられる。空調装置５は、図示しない温度センサを内蔵する。空調装置５は、図示しない送風装置を内蔵する。空調装置５は、図示しない通信装置を内蔵する。
【００１３】
部屋１の内部には、空気清浄装置６が設けられる。空気清浄装置６は、部屋１の他側の下部に設けられる。空気清浄装置６は、図示しない清浄度センサを内蔵する。空気清浄装置６は、図示しない送風装置を内蔵する。空気清浄装置６は、図示しない通信装置を内蔵する。
【００１４】
部屋１の内部には、加湿装置７が設けられる。加湿装置７は、机３と空気清浄装置６との間に設けられる。加湿装置７は、図示しない湿度センサを内蔵する。加湿装置７は、図示しない送風装置を内蔵する。加湿装置７は、図示しない通信装置を内蔵する。
【００１５】
部屋１の内部には、人位置検知装置８が設けられる。人位置検知装置８は、空調装置５に内蔵される。部屋１の内部には、制御装置９が設けられる。制御装置９は、部屋１の他側の中央部に設けられる。制御装置９は、空調装置５、空気清浄装置６、加湿装置７とは異なる電源を備える。制御装置９は、図示しない環境設定装置を備える。制御装置９は、図示しない通信装置を内蔵する。
【００１６】
図１において、使用者１０は、机３に向かって椅子４に座っている。この際、人位置検知装置８は、使用者１０の位置を検知する。その後、空調装置５の通信装置は、当該検知に関する情報を制御装置９の通信装置に無線で送信する。
【００１７】
その後、制御装置９の環境設定装置は、当該情報に基づいて椅子４の位置近傍の空間を環境制御の対象空間とする。その後、制御装置９の環境設定装置は、対象空間の風速及び音の少なくとも一方の変化が使用者１０の覚醒度を変化させる状態となるように設定する。その結果、空調装置５の設定と空気清浄装置６の設定と加湿装置７の設定とは、予め設定された範囲内に収まる。
【００１８】
この際、制御装置９の環境設定装置は、不快感が少なく目的に応じた環境を実現するように、空調装置５の設定と空気清浄装置６の設定と加湿装置７の設定とを決定する。例えば、制御装置９の環境設定装置は、予め記憶した条件に基づいて、空調装置５の設定と空気清浄装置６の設定と加湿装置７の設定とを決定する。例えば、制御装置９の環境設定装置は、プログラムによる計算結果に基づいて、空調装置５の設定と空気清浄装置６の設定と加湿装置７の設定とを決定する。
【００１９】
その後、制御装置９の通信装置は、空調装置５の設定に関する情報を空調装置５の通信装置に無線で送信する。制御装置９の通信装置は、空気清浄装置６の設定に関する情報を空気清浄装置６に無線で送信する。制御装置９の通信装置は、加湿装置７の設定に関する情報を加湿装置７の通信装置に無線で送信する。
【００２０】
空調装置５は、環境調整装置の一つとして機能する。具体的には、空調装置５は、制御装置９から受信した情報に基づいて空気の温度を調整する。この際、空調装置５は、制御装置９による設定から逸脱しないように動作する。空調装置５の送風装置は、制御装置９から受信した情報に基づいて風を発生させる。
【００２１】
空気清浄装置６は、環境調整装置の一つとして機能する。具体的には、空気清浄装置６は、制御装置９から受信した情報に基づいて空気を浄化する。この際、空気清浄装置６は、制御装置９による設定から逸脱しないように動作する。空気清浄装置６の送風装置は、制御装置９から受信した情報に基づいて風を発生させる。
【００２２】
加湿装置７は、環境調整装置の一つとして機能する。具体的には、加湿装置７は、制御装置９から受信した情報に基づいて空気の湿度を高める。この際、加湿装置７は、制御装置９による設定から逸脱しないように動作する。加湿装置７の送風装置は、制御装置９から受信した情報に基づいて風を発生させる。
【００２３】
次に、図２を用いて、使用者１０の睡眠を維持する方法を説明する。
図２はこの発明の実施の形態１における環境制御システムを適用した部屋の構成図である。
【００２４】
図２において、使用者１０は、ベッド２に寝ている。この際、人位置検知装置８は、使用者１０の位置を検知する。その後、空調装置５の通信装置は、当該検知に関する情報を制御装置９の通信装置に無線で送信する。
【００２５】
その後、制御装置９の環境設定装置は、当該情報に基づいてベッド２の位置近傍の空間を対象空間とする。その後、制御装置９の環境設定装置は、対象空間の風速及び音の少なくとも一方の変化が使用者１０の睡眠を維持する状態となるように設定する。その結果、空調装置５の設定と空気清浄装置６の設定と加湿装置７の設定とは、予め設定された範囲内に収まる。
【００２６】
その後、制御装置９の通信装置は、空調装置５の設定に関する情報を空調装置５の通信装置に無線で送信する。制御装置９の通信装置は、空気清浄装置６の設定に関する情報を空気清浄装置６に無線で送信する。制御装置９の通信装置は、加湿装置７の設定に関する情報を加湿装置７の通信装置に無線で送信する。
【００２７】
空調装置５は、制御装置９から受信した情報に基づいて空気の温度を調整する。この際、空調装置５は、制御装置９による設定から逸脱しないように動作する。空調装置５の送風装置は、制御装置９から受信した情報に基づいて風を発生させる。
【００２８】
空気清浄装置６は、制御装置９から受信した情報に基づいて空気を浄化する。この際、空気清浄装置６は、制御装置９による設定から逸脱しないように動作する。空気清浄装置６の送風装置は、制御装置９から受信した情報に基づいて風を発生させる。
【００２９】
加湿装置７は、制御装置９から受信した情報に基づいて空気の湿度を高める。この際、加湿装置７は、制御装置９による設定から逸脱しないように動作する。加湿装置７の送風装置は、制御装置９から受信した情報に基づいて風を発生させる。
【００３０】
以上で説明した実施の形態１によれば、使用者１０の位置での風速及び音の少なくとも一方の変化が使用者１０の覚醒度を変化させる状態となるように、空調装置５等が風を発生させる。このため、使用者１０を覚醒させることができる。その結果、使用者１０は、仕事のパフォーマンスを維持することができる。使用者１０は、勉強に集中できる。
【００３１】
この際、空調装置５と空気清浄装置６と加湿装置７とのうちの少なくとも一つの送風装置の回転数を上下させることで、使用者１０の位置での風速及び音の少なくとも一方の変化が使用者１０の覚醒度を変化させる状態となるようにしてもよい。
【００３２】
また、使用者１０の位置での風速及び音の少なくとも一方の変化が使用者１０の睡眠を維持する状態となるように、空調装置５等が風を発生させる。このため、使用者１０の睡眠を維持することができる。
【００３３】
この際、空調装置５と空気清浄装置６と加湿装置７とのうちの少なくとも一つの送風装置の回転数を上下させることで、使用者１０の位置での風速及び音の少なくとも一方の変化が使用者１０の睡眠を維持する状態となるようにしてもよい。
【００３４】
また、制御装置９は、空調装置５等に無線で情報を送信する。このため、制御装置９のレイアウトの自由度を向上させることができる。
【００３５】
なお、人位置検知装置８は、空調装置５以外の装置に設けられていてもよい。この場合も、使用者１０を覚醒させることができる。
【００３６】
また、空調装置５と空気清浄装置６と加湿装置７との位置に関する情報を制御装置９に送信してもよい。この場合、制御装置９は、当該情報に基づいて、空調装置５と空気清浄装置６と加湿装置７とのそれぞれに起因する風と音とのデータを加味すればよい。その結果、使用者１０の位置における環境を正確に推測することができる。このため、環境制御の精度をより高めることができる。
【００３７】
実施の形態２．
図３はこの発明の実施の形態２における環境制御システムの入力装置の画面を示す図である。なお、実施の形態１と同一又は相当部分には同一符号を付して説明を省略する。
【００３８】
図３において、入力装置１１は、持ち運びし得るように形成される。入力装置１１の上部には、タッチパネル１１ａが設けられる。入力装置１１の下部には、決定ボタン１１ｂが設けられる。
【００３９】
図３の左側は、タッチパネル１１ａの表示の第１例である。図３の左側において、タッチパネル１１ａの画面には、複数の指定部が表示される。指定部には、使用者１０の行動に対応した文字が表示される。例えば、最上段の指定部には、「仕事・勉強」が表示される。上から２段目の指定部には、「ＴＶ・音楽」が表示される。上から３段目の指定部には、「睡眠」が表示される。最下段の指定部には、「自然風」が表示される。使用者１０は、指定部に触れることで所望の動作を入力する。
【００４０】
図３の右側は、タッチパネル１１ａの表示の第２例である。図３の右側において、タッチパネル１１ａの画面には、マップが表示される。例えば、マップは、心理的な用語を用いて表示される。例えば、マップは、感覚的な用語を用いて表示される。例えば、マップは、使用者１０が所望する空気環境の雰囲気に対応したわかり易い形容詞を用いて表示される。例えば、横軸の左側には、「しーん」が表示される。横軸の右側には、「ざわざわ」が表示される。縦軸の下側には、「まったり」が表示される。縦軸の上側には、「すっきり」が表示される。使用者１０は、タッチパネル１１ａの画面上のエリアに触れることで所望の空気環境の雰囲気を入力する。
【００４１】
なお、わかり易い形容詞の表示から使用者１０が所望の空気環境の雰囲気を選択してもよい。また、心理的な用語の表示、感覚的な用語の表示、わかり易い形容詞の表示、横軸及び縦軸への配置は、図３の右側に図示したものに限定されない。
【００４２】
使用者１０の入力後に決定ボタン１１ｂが押されると、制御装置９の環境設定装置は、空調装置５の設定と空気清浄装置６の設定と加湿装置７の設定とを使用者１０が触れた箇所に応じて決定する。
【００４３】
次に、図４を用いて、環境制御システムの設定を説明する。
図４はこの発明の実施の形態２における環境制御システムの設定を説明するための図である。図４の横軸は風速変化（ｍ／ｓ２）である。図４の縦軸は音変化（ｄＢ／ｓ）である。
【００４４】
図４に示すように、「仕事・勉強」、「ＴＶ・音楽」、「睡眠」、「自然風」のレベルが設定される。当該レベルは、制御範囲として許容する最大レベルとして設定される。
【００４５】
例えば、「仕事・勉強」の風速変化は、レベル２（Ｌｖ２）からレベル３（Ｌｖ３）に設定される。「仕事・勉強」の音変化は、レベル３（Ｌｖ３）に設定される。「ＴＶ・音楽」の風速変化は、レベル２（Ｌｖ２）に設定される。「ＴＶ・音楽」の音変化は、レベル１（Ｌｖ１）からレベル２（Ｌｖ２）に設定される。
【００４６】
「睡眠」の風速変化は、レベル１（Ｌｖ１）に設定される。「睡眠」の音変化は、レベル１（Ｌｖ１）に設定される。「自然風」の風速変化は、レベル３（Ｌｖ３）に設定される。「自然風」の音変化は、レベル２（Ｌｖ２）に設定される。
【００４７】
例えば、「仕事・勉強」が指定された場合、対象空間の風速変化は、レベル２（Ｌｖ２）からレベル３（Ｌｖ３）の間のレベルとなる。対象空間の音変化は、レベル３（Ｌｖ３）となる。この場合、対象空間において、風速変化と音変化とは比較的大きくなる。その結果、使用者１０は、覚醒した状態を維持する。使用者１０は、寝てしまうことを避けられる。使用者１０は、寝た場合に起こされる。
【００４８】
以上で説明した実施の形態２によれば、空調装置５等は、入力装置１１による設定に応じて風を発生させる。このため、使用者１０の要求に応じて、環境を制御することができる。
【００４９】
この際、入力装置１１による設定は、目的等の用語の指定により行われる。このため、使用者１０が風速等に関する数値を直接入力することを避けることができる。その結果、入力装置１１による設定を容易に行うことができる。
【００５０】
なお、使用者１０の目的と快適性とがバランスするように制御範囲を設定すればよい。このため、「仕事・勉強」のレベルを常に「睡眠」のレベルよりも高くする必要はない。
【００５１】
また、個人の感覚に合わせて制御範囲を設定してもよい。例えば、個人が調整した設定を「仕事・勉強」の設定として制御装置９に記憶させてもよい。
【００５２】
また、入力装置１１は、情報を伝達し得るものであればよい。例えば、入力装置１１は、空調装置５のリモコンでもよい。例えば、入力装置１１は、空気清浄装置６のリモコンでもよい。例えば、入力装置１１は、加湿装置７のリモコンでもよい。例えば、入力装置１１は、環境制御とは無関係の機器を用いてもよい。例えば、入力装置１１は、図示しないテレビ等でもよい。
【００５３】
実施の形態３．
図５はこの発明の実施の形態３における環境制御システムを適用した部屋の構成図である。なお、実施の形態１と同一又は相当部分には同一符号を付して説明を省略する。
【００５４】
実施の形態３の環境制御システムは、実施の形態１の環境システムに環境検知装置１２を付加したものである。環境検知装置１２は、持ち運びし得るように形成される。環境検知装置１２は、風速及び音の少なくとも一方を検知する。
【００５５】
図５においては、環境検知装置１２は、机３の上に置かれている。このため、環境検知装置１２は、使用者１０の位置において風速及び音の少なくとも一方を検知する。制御装置９の環境設定装置は、人位置検知装置８の検知結果と環境検知装置１２の検知結果とに基づいて、空調装置５の設定と空気清浄装置６の設定と加湿装置７の設定を決定する。
【００５６】
以上で説明した実施の形態３によれば、人位置検知装置８による検知結果と環境検知装置１２による検知結果とに基づいて、対象空間の環境が制御される。このため、環境制御の精度をより高めることができる。
【００５７】
なお、使用者１０の位置において風速及び音の少なくとも一方を検知できる場合、人位置検知装置８はなくてもよい。この場合でも、使用者１０の位置での環境をある程度の精度で制御することができる。
【００５８】
また、環境検知装置１２は、使用者１０の位置において風速及び音の少なくとも一方を非接触で遠隔から検知するものであればよい。例えば、環境検知装置１２は、空調装置５に内蔵されていてもよい。例えば、環境検知装置１２は、空気清浄装置６に内蔵されていてもよい。例えば、環境検知装置１２は、加湿装置７に内蔵されていてもよい。例えば、環境検知装置１２は、人位置検知装置８に内蔵されていてもよい。例えば、環境検知装置１２は、制御装置９に内蔵されていてもよい。この場合、環境検知装置１２の紛失を防止することができる。
【００５９】
実施の形態４．
図６はこの発明の実施の形態４における環境制御システムを適用した部屋の構成図である。なお、実施の形態３と同一又は相当部分には同一符号を付して説明を省略する。
【００６０】
実施の形態４の環境制御システムは、実施の形態３の環境システムに覚醒検知装置１３を付加したものである。例えば、覚醒検知装置１３は、空調装置５に内蔵される。覚醒検知装置１３は、使用者１０の覚醒のレベルを検知する。制御装置９の環境設定装置は、人位置検知装置８の検知結果と環境検知装置１２の検知結果と覚醒検知装置１３の検知結果とに基づいて、空調装置５の設定と空気清浄装置６の設定と加湿装置７の設定を決定する。
【００６１】
次に、図７を用いて、環境制御システムの動作の一例を説明する。
図７はこの発明の実施の形態４における環境制御システムの動作を説明するためのタイミングチャートである。図７の横軸は時間である。図７の最上段の縦軸は、覚醒検知装置１３が検知した使用者１０の覚醒のレベルである。図７の上から２段目の縦軸は、制御装置９が設定した使用者１０の位置での風速変化のレベルである。図７の最下段の縦軸は、制御装置９が設定した使用者１０の位置での音変化のレベルである。
【００６２】
図７においては、「仕事・勉強」が設定されている。初期状態において、使用者１０の覚醒のレベルは、レベル３（Ｌｖ３）である。この際、制御装置９は、風速変化と音変化とを最も刺激が少ない状態に維持する。具体的には、制御装置９は、風速変化と音変化とをレベル１（Ｌｖ１）に設定する。その後、時間Ｔ１において、使用者１０の覚醒のレベルがレベル２（Ｌｖ２）に下がると、制御装置９は、使用者１０の覚醒のレベルが下がることを抑制する。具体的には、制御装置９は、風速変化のレベルのみをレベル２（Ｌｖ２）に引き上げる。
【００６３】
その後、時間Ｔ２において、使用者１０の覚醒のレベルがレベル１（Ｌｖ１）に下がると、制御装置９は、使用者１０の覚醒のレベルが下がることを抑制する。具体的には、制御装置９は、風速変化のレベル又は音変化のレベルを上げる。例えば、制御装置９は、音変化のレベルをレベル２（Ｌｖ２）に引き上げる。
【００６４】
その後、予め設定された時間が経過しても使用者１０の覚醒のレベルが上がらない場合、制御装置９は、使用者１０の覚醒のレベルを上げる制御を行う。具体的には、時間Ｔ３において、制御装置９は、風速変化のレベルをレベル３（Ｌｖ３）に引き上げる。
【００６５】
その後、使用者１０の覚醒のレベルが上がると、制御装置９は、風速変化のレベルと音変化のレベルとを下げる。具体的には、時間Ｔ４において、制御装置９は、風速変化のレベルをレベル２（Ｌｖ２）に引き下げる。制御装置９は、音変化のレベルをレベル１（Ｌｖ１）に引き下げる。その後、使用者１０の覚醒のレベルが予め設定された時間だけレベル３（Ｌｖ３）に維持されると、制御装置９は、風速変化のレベルをレベル１（Ｌｖ１）に引き下げる。
【００６６】
以上で説明した実施の形態４によれば、「仕事・勉強」が指定されている際、使用者１０が十分に覚醒した状態であれば、風速変化は吹かれ感の無いレベルを維持する。音変化は煩くないレベルを維持する。このため、使用者１０の目的と快適性を両立させることができる。
【００６７】
なお、目標とする覚醒のレベルを維持できるのであれば、風速変化と音変化とに関し、様々な組み合せを用いてよい。
【００６８】
また、使用者１０の体温の検知結果に基づいて使用者１０の動きを検知する装置を用いてよい。この場合、当該装置は、人位置検知装置８と覚醒検知装置１３との機能を併せ持つことができる。
【００６９】
また、空気清浄装置６、加湿装置７、人位置検知装置８、制御装置９、入力装置１１、環境検知装置１２に覚醒検知装置１３を内蔵してもよい。この場合、覚醒検知装置１３の紛失を防止することができる。
【００７０】
また、環境検知装置１２と入力装置１１とリモコンと一体に覚醒検知装置１３を形成してもよい。環境検知装置１２と入力装置１１とリモコンと覚醒検知装置１３とを携帯電話又は情報端末に統合してもよい。この場合、使用者１０の利便性を向上させることができる。
【００７１】
実施の形態５．
図８はこの発明の実施の形態５における環境制御システムの設定を説明するための図である。図８の横軸は音の周波数である。図８の縦軸は音響パワーである。なお、実施の形態１と同一又は相当部分には同一符号を付して説明を省略する。
【００７２】
図８に示すように、空調装置５のスペクトルと加湿装置７のスペクトルとは互いに異なる。この場合、制御装置９は、空調装置５等の音の周波数を考慮して、使用者１０の位置における環境を制御する。例えば、当該制御の設定は、予め制御装置９に記憶される。例えば、当該制御の設定は、リアルタイムによる計算結果に基づいて生成される。
【００７３】
図８において、空調装置５と加湿装置７とがレベル１（Ｌｖ１）の設定で動作しても、使用者１０の覚醒のレベルを上げるパワースペクトルを得ることができない。一方、空調装置５の音変化のレベルを引き上げると、空調装置５の送風装置の風量が大きくなり過ぎる。この場合、制御装置９は、加湿装置７の送風装置の風量を上げる。その結果、使用者１０の覚醒に必要な特定の周波数帯における音響パワーを得ることができる。
【００７４】
以上で説明した実施の形態５によれば、制御装置９は、空調装置５等が発生させる音の周波数を考慮して、使用者１０の位置における環境を制御する。このため、騒音値のオーバーオールをやみくもに増やすことなく、使用者１０の目的と快適性とを両立させることができる。
【００７５】
例えば、ある環境調整装置を動作させると消費電力が大きくなり過ぎる場合、他の環境調整装置の送風装置の回転数を上げることで、使用者１０の目的と快適性とを両立することができる。
【符号の説明】
【００７６】
１  部屋、  ２  ベッド、  ３  机、  ４  椅子、  ５  空調装置、  ６  空気清浄装置、  ７  加湿装置、  ８  人位置検知装置、  ９  制御装置、  １０  使用者、  １１  入力装置、  １１ａ  タッチパネル、  １１ｂ  決定ボタン、  １２  環境検知装置、  １３  覚醒検知装置
【図１】
2015108469.tif 000003
【図２】
2015108469.tif 000004
【図３】
2015108469.tif 000005
【図４】
2015108469.tif 000006
【図５】
2015108469.tif 000007
【図６】
2015108469.tif 000008
【図７】
2015108469.tif 000009
【図８】
2015108469.tif 000010